(57)【要約】本発明は、コンパクトディスク保持スリーブに関するものであって、第１〜第４パネル（２０，２２，２４，２６）と第３パネルに隣接したタブ（５０）とを備えた折曲可能材料製シートを具備し、第２パネルと第３パネルとの間と、第３パネルと第４パネルとの間と、タブと第３パネルとの間と、の各々には、ウェブ部分（３４，３８，５６）が形成されている。シートは、第４パネルの前面（７２）が第１パネルの前面（７０）に対して当接するようにして折り曲げられ、それら前面どうしは、接着される。タブは、折り曲げて、第２パネルに対して接着される。互いに接着させた第１および第４パネルを折り曲げて、第２パネルに対して着脱可能に固定することによって、第２パネルと第３パネルとの間に挿入されたディスクが、スリーブ内において固定的の保持される。
2005501784.tif 000002
【特許請求の範囲】
【請求項１】
コンパクトディスク保持スリーブを作製するための方法であって、
互いに並置された第１パネルと第２パネルと第３パネルと第４パネルとを備えた折曲可能材料製シートを準備し、その際、前記第２および前記第３パネルが、前記第１および前記第４パネルの間に位置するものとし、さらに、前記第１パネルと前記第２パネルとの間と、前記第２パネルと前記第３パネルとの間と、前記第３パネルと前記第４パネルとの間と、の各々に、少なくとも１つの折曲線を設けておき、さらに、前記第１〜前記第４パネルが並置されている方向とは実質的に垂直な方向において、前記第３パネルに隣接させて、タブを形成しておき、さらに、このタブと前記第３パネルとの間に少なくとも１つの折曲線を設けておき；
前記複数の折曲線に沿って前記シートを折り曲げることによって、前記第１パネルの前面と前記第４パネルの前面とを互いに対向させて位置させるとともに、前記タブの表面と前記第２パネルの表面とを互いに対向させて位置させ；
前記第１パネルと前記第４パネルとの前記前面どうしを、互いに接着し；
前記第２パネルの前記表面に対して前記タブの前記表面を接着する；
ことを特徴とする方法。
【請求項２】
請求項１記載の方法において、
前記第２パネルと前記第３パネルとの間と、前記第３パネルと前記第４パネルとの間と、前記タブと前記第３パネルとの間と、の各々に、複数の折曲線を設け、
これにより、それら、前記第２パネルと前記第３パネルとの間と、前記第３パネルと前記第４パネルとの間と、前記タブと前記第３パネルとの間と、の各々に、ウェブ部分を形成することを特徴とする方法。
【請求項３】
請求項１または２に従って形成された前記保持スリーブ内にコンパクトディスクを固定するための方法であって、
前記第２パネルと前記第３パネルとの間に前記ディスクを挿入し；
前記第１パネルが前記第２パネル上に折り重ねられるようにして、前記互いに接着させた前記第１および前記第４パネルを、折り曲げ；
前記互いに接着させた前記第１および前記第４パネルを、前記第２パネルに対して着脱可能に固定する；
ことを特徴とする方法。
【請求項４】
請求項３記載の方法において、
前記着脱可能な固定を、
前記互いに接着させた前記第１および前記第４パネルの１つまたは複数のエッジに沿ってロックタブを設け；
前記第２パネルに、前記互いに接着させた前記第１および前記第４パネルを前記第２パネル上に折り重ねたときに前記ロックタブを受領し得るような位置のところに、スロットを形成し；
前記ロックタブを前記スロット内に挿入する；
ことにより行うことを特徴とする方法。
【請求項５】
請求項４記載の方法において、
前記ロックタブと前記スロットとを、前記互いに接着させた前記第１および前記第４パネルおよび前記第２パネルの各コーナー領域に形成することを特徴とする方法。
【請求項６】
請求項３記載の方法において、
前記着脱可能な固定を、
前記第１パネル上に、１つまたは複数の着脱可能な接着領域を設け；
前記第２パネル上に、前記互いに接着させた前記第１および前記第４パネルを前記第２パネル上に折り重ねたときに前記第１パネル上の前記接着領域と係合し得るような位置のところに、対応する数の係合領域を形成し；
前記接着領域と前記係合領域とを互いに当接させる；
ことにより行うことを特徴とする方法。
【請求項７】
請求項３記載の方法において、
前記着脱可能な固定を、
前記第１パネル上に、１つまたは複数のベルクロ領域を設け；
前記第２パネル上に、前記互いに接着させた前記第１および前記第４パネルを前記第２パネル上に折り重ねたときに前記第１パネル上の前記ベルクロ領域と係合し得るような位置のところに、対応する数の係合ベルクロ領域を形成し；
前記ベルクロ領域と前記係合ベルクロ領域とを互いに当接させる；
ことにより行うことを特徴とする方法。
【請求項８】
コンパクトディスク保持スリーブであって、
互いに並置された第１パネルと第２パネルと第３パネルと第４パネルとを備えた折曲可能材料製シートを具備し、
前記第２および前記第３パネルが、前記第１および前記第４パネルの間に位置しており、
前記第１パネルと前記第２パネルとの間と、前記第２パネルと前記第３パネルとの間と、前記第３パネルと前記第４パネルとの間と、の各々に、少なくとも１つの折曲線が設けられ、
前記第１〜前記第４パネルが並置されている方向とは実質的に垂直な方向において、前記第３パネルに隣接させて、タブが設けられ、
このタブと前記第３パネルとの間に少なくとも１つの折曲線が設けられ、
前記複数の折曲線に沿って前記シートを折り曲げることによって、前記第１パネルの前面と前記第４パネルの前面とが互いに対向配置されるとともに、前記タブの表面と前記第２パネルの表面とが互いに対向配置され、
前記第１パネルと前記第４パネルとの前記前面どうしが互いに接着されているとともに、前記第２パネルの前記表面に対して前記タブの前記表面が接着されていることを特徴とするコンパクトディスク保持スリーブ。
【請求項９】
請求項８記載のコンパクトディスク保持スリーブにおいて、
前記第２パネルと前記第３パネルとの間と、前記第３パネルと前記第４パネルとの間と、前記タブと前記第３パネルとの間と、の各々に、複数の折曲線が設けられ、
これにより、それら、前記第２パネルと前記第３パネルとの間と、前記第３パネルと前記第４パネルとの間と、前記タブと前記第３パネルとの間と、の各々に、ウェブ部分が形成されていることを特徴とするコンパクトディスク保持スリーブ。
【請求項１０】
請求項８または９記載のコンパクトディスク保持スリーブにおいて、
さらに、前記互いに接着させた前記第１および前記第４パネルが前記第２パネル上に折り重ねられたときには、前記互いに接着させた前記第１および前記第４パネルを、前記第２パネルに対して固定するための固定手段であり、この固定によって、前記第２および前記第３パネルの間に挿入されたコンタクトディスクを、それら前記第２および前記第３パネルの間に保持し得るようになっているような、固定手段を具備していることを特徴とするコンパクトディスク保持スリーブ。
【請求項１１】
請求項１０記載のコンパクトディスク保持スリーブにおいて、
さらに、前記第２パネルまたは前記第３パネルの自由エッジに沿って形成されたノッチを備え、
このノッチによって、前記コンパクトディスクの取出を容易なものとすることを特徴とするコンパクトディスク保持スリーブ。
【請求項１２】
請求項１０記載のコンパクトディスク保持スリーブにおいて、
前記固定手段が、
前記互いに接着させた前記第１および前記第４パネルの１つまたは複数の自由エッジに沿って設けられたロックタブと、
前記互いに接着させた前記第１および前記第４パネルを前記第２パネル上に折り重ねたときに前記ロックタブを受領し得るような位置のところにおいて前記第２パネルに設けられたスロットと、
を備えていることを特徴とするコンパクトディスク保持スリーブ。
【請求項１３】
請求項１０記載のコンパクトディスク保持スリーブにおいて、
前記固定手段が、
前記第１パネル上に設けられた１つまたは複数の着脱可能な接着領域と、
前記互いに接着させた前記第１および前記第４パネルを前記第２パネル上に折り重ねたときに前記第１パネル上の前記接着領域と係合し得るような位置のところにおいて前記第２パネル上に設けられた、対応する数の係合領域と、
を備えていることを特徴とするコンパクトディスク保持スリーブ。
【請求項１４】
請求項１０記載のコンパクトディスク保持スリーブにおいて、
前記固定手段が、
前記第１パネル上に設けられた１つまたは複数のベルクロ領域と、
前記互いに接着させた前記第１および前記第４パネルを前記第２パネル上に折り重ねたときに前記第１パネル上の前記ベルクロ領域と係合し得るような位置のところにおいて前記第２パネル上に設けられた、対応する数の係合ベルクロ領域と、
を備えていることを特徴とするコンパクトディスク保持スリーブ。
【発明の詳細な説明】
【技術分野】
【０００１】
本発明は、コンパクトディスクのパッケージングという分野に関するものであり、より詳細には、名刺サイズのあるいはそれよりも大きめの、光ディスクやコンパクトディスクのための安価なパッケージであって、そのようなディスクを固定的にクランプし得るとともに、そのようなディスクがパッケージから抜け落ちることを防止でき、さらに、そのようなディスクの繊細な機械的読取面に対しての損傷という重大なリスクをもたらさないような、パッケージに関するものである。
【背景技術】
【０００２】
コンパクトディスクは、様々なサイズや容量のものとして供給されている。例えば、ミニディスクとして利用されているものには、以下のようなサイズと容量とが存在する。すなわち、８０ｍｍ×５８ｍｍという寸法の４０ＭＢのディスク；８０ｍｍ×６０ｍｍという寸法の４５ＭＢのディスク；８０ｍｍ×６２ｍｍという寸法の５０ＭＢのディスク；８０ｍｍ×６４ｍｍという寸法の６０ＭＢのディスク；８０ｍｍ×６８ｍｍという寸法の１００ＭＢのディスク；８０ｍｍという直径の１８０ＭＢのディスク。加えて、標準的なサイズのディスクは、約１２０ｍｍという直径の７００ＭＢのディスクである。それらディスクに対してパッケージングを利用することができるけれども、当該技術分野においては、本発明の好ましい特徴点を有したような安価なパッケージングが、要望されている。なお、本出願人の知る限りにおいては、本出願に関連性を有する先行技術文献は存在しない。
【発明の開示】
【課題を解決するための手段】
【０００３】
本発明の好ましい特徴点は、コンパクトディスクのためのパッケージを形成するための方法、および、それによって形成されたパッケージにより、得られる。本発明による方法においては、最も好ましくは紙や厚紙といったような折曲可能なシートを使用し、このシートは、互いに並置された第１パネルと第２パネルと第３パネルと第４パネルとを備え、第２および第３パネルが、第１および第４パネルの間に位置するものとされている。第１パネルは、第１折曲線に沿って第２パネルに対して連結されている。第２パネルは、第２折曲線および第３折曲線に沿って、第３パネルに対して連結されている。これら第２折曲線と第３折曲線とが協働することによって、第１ウェブ部分が形成されている。第３パネルは、第４折曲線および第５折曲線に沿って、第４パネルに対して連結されている。これら第４折曲線と第５折曲線とが協働することによって、第２ウェブ部分を形成している。加えて、折曲可能シートは、第３パネルから第２パネルへと向かう方向とは垂直な方向において第３パネルから延出された閉塞タブを備えている。第６折曲線と第７折曲線とが、閉塞タブと第３パネルとを区分しており、これら折曲線は、互いに協働することによって、第３ウェブ部分を形成している。本発明による方法においては、第１〜第５折曲線に沿ってシートを折り曲げることによって、第１パネルの前面と第４パネルの前面とを互いに対向させて位置させ；第１パネルと第４パネルとのこれら前面どうしを、互いに接着し；第６および第７折曲線に沿ってシートを折り曲げ；閉塞タブと第２パネルとを互いに接着する。各ステップの順序は、本発明においては、重要ではない。
【０００４】
本発明の特に好ましい方法においては、第１および第４パネルを第２パネル上へと折り重ねた状態で着脱可能に固定し得るよう、第１，第２，第４パネルに、凹所がカット形成される。最も好ましくは、この付加的なステップにおいては、第１および第４パネルの自由エッジに、１つまたは複数のノッチをカット形成する。これにより、ロックタブを形成する。さらに、第２パネルに、ロックタブを受領し得るスロットを、カット形成する。本発明の想定範囲内においては、ロックタブは、自由エッジの中央に配置することも、自由エッジ上の任意の位置に配置することも、できる。同様に、本発明の想定範囲内においては、ロックタブとスロットとを、第１および第４パネルを第２パネル上へと折り重ね状態で着脱可能に固定するという目的に適したような、任意の形状とすることができる。これに代えて、接着剤からなるスポットやフックループ材料からなるスポットを、第１，第２，第４パネルの中の１つまたは複数のパネルに対して固定することによって、第１および第４パネルを第２パネル上へと折り重ね状態で着脱可能に固定することができる。
【０００５】
付加的には、ノッチまたは孔を、第２パネルまたは第３パネルにカット形成し、これにより、パッケージからのディスクの取出を容易なものとすることができる。
【０００６】
付加的には、１つまたは複数の折曲線を有したプリント可能材料シートからなるプリント挿入物が、コンパクトディスクと一緒にパッケージ内に挿入される。
【０００７】
好ましいパッケージの１つの利点は、パッケージの構成が、パッケージ内においてディスクのクランプ効果がもたらされることであり、これにより、パッケージが閉塞された状態では、ディスクは、容易に抜け出すことがない。すなわち、第１および第４パネルが第２パネルに対しての折り重ね状態とされたときには、ディスクは、容易に抜け出すことがない。パッケージが開放されたときには、すなわち、第１および第４パネルが緩和されたときには、第１および第２ウェブ部分が、十分なクリアランスをもたらすことができる。これにより、パッケージに対してのコンパクトディスクの挿入や、パッケージからのコンパクトディスクの取出を、自由に行うことができる。何らの動作原理に拘束されることなく、第２パネルに対しての折り重ね状態への、第１および第５折曲線に沿った第１および第４パネルの折曲によって、第４パネルの近傍における第３パネルの一部が、ディスクに向けて引っ張られ、これにより、第２パネルと第３パネルとの間においてディスクが圧迫されるものと考えられる。パッケージが閉塞された時のこの圧迫は、パッケージからのディスクの抜け出しを防止する。
【０００８】
好ましいパッケージの他の利点は、紙や厚紙や他の安価な折曲可能シート材料から形成し得ることにより、比較的安価に製造し得ることである。
【０００９】
本発明の他の利点は、第１〜第４パネルの露出表面上にプリントを施し得ることである。これにより、文字やグラフィックや他の情報やディスクやその供給元に関する宣伝材料を付与することができる。
【発明を実施するための最良の形態】
【００１０】
したがって、本発明の１つの目的は、コンパクトディスクのための安価なパッケージングを提供することである。本発明は、添付図面を参照しつつ、以下の詳細な説明を読むことにより、明瞭となるであろう。
【００１１】
図１および図２は、ディスク（１２）の一部を収容している本発明によるパッケージ（１０）を示している。
【００１２】
図３は、図１および図２のパッケージを形成するに際して使用するためのブランクをなす折曲可能なシート（１４）を示している。このシート（１４）は、第１パネル（２０）と、第２パネル（２２）と、第３パネル（２４）と、第４パネル（２６）と、を備えている。第１パネル（２０）は、第１折曲線（３０）に沿って第２パネル（２２）に対して連結されている。第２パネル（２２）は、第２折曲線（３２）および第３折曲線（３４）に沿って、第３パネル（２４）に対して連結されている。第３パネル（２４）は、第４折曲線（３６）および第５折曲線（３８）に沿って、第４パネル（２６）に対して連結されている。第２折曲線（３２）と第３折曲線（３４）とが協働することによって、第１ウェブ部分（４０）を形成している。第４折曲線（３６）と第５折曲線（３８）とが協働することによって、第２ウェブ部分（４２）を形成している。
【００１３】
加えて、折曲可能シート（１４）は、閉塞タブ（５０）を形成している。この閉塞タブ（５０）は、第３パネル（２４）と第２パネル（２２）との間にわたっての移動方向（５２）に対して垂直な方向（５４）において、第３パネル（２４）から延出されている。折曲可能シート（１４）は、さらに、第６折曲線（５６）と第７折曲線（５８）とを有している。これら第６折曲線（５６）と第７折曲線（５８）とが協働することにより、閉塞タブ（５０）と第３パネル（２４）との間を連結する第３ウェブ部分（６０）を形成している。
【００１４】
パッケージ（１０）を形成するに際しての好ましい方法が、図４に示されている。（図４におけるシート（１４）が、図３に示す状態から、表裏がひっくり返されていることに注意されたい。）この方法においては、以下の複数のステップを行う。すなわち、第１，第２，第３，第４，第５折曲線（３０，３２，３４，３６，３８）に沿って折曲可能シート（１４）を折り曲げ、これにより、第１パネル（２０）の前面（７０）と第４パネル（２６）の前面（７２）とを、互いに対向させ、第１パネル（２０）のエッジ（９４）を、第４パネル（２６）のエッジ（９６）に対して位置合わせする。次に、例えば接着によって、第１パネル（２０）の前面（７０）と第４パネル（２６）の前面（７２）とを互いに接着する。さらに、折曲可能シート（１４）を、第６折曲線（５６）と第７折曲線（５８）とに沿って折り曲げ、閉塞タブ（５０）を、第２パネル（２２）の面（好ましくは、第３パネル（２４）に対向している面）に対して接着する。
【００１５】
特に好ましい方法においては、図２および図４に示すように、ロックタブ（８６）（図２）を形成し得るよう、１つまたは複数のノッチ（８０，８２）（図２）が、第１および第４パネル（２０，２６）（図４）によって形成された自由エッジ（８４）（図２）に、カット形成される。ロックタブ（８６）（図２）を受領し得るよう、第２パネル（２２）（図４）には、スロット（８８）（図２）がカット形成される。
【００１６】
スリーブを閉塞して、エッジ（９２）（図３）のところにおいてスリーブの端部から第２パネル（２２）と第３パネル（２４）との間に挿入されたディスクを固定するために、互いに接着されている第１および第４パネルを、第２パネル（２２）上へと折り重ね、ロックタブ（８６）を、スロット（８８）内に挿入する。互いに接着されている第１および第４パネルを第２パネル（２２）上へと折り重ねるにつれて、図５Ａ，５Ｂ，５Ｃに示すように、第３パネル（２４）と第２パネル（２２）との間のギャップ（２３）が狭められ、これにより、ディスク（１２）に対してのクランプ圧力がもたらされ、ディスク（１２）がスリーブに対して位置ズレを起こさないようになることは、理解されるであろう。スリーブが開放されたときには、互いに接着された第１および第４パネルが、第２パネルから離間する向きに持ち上げられ、これにより、クランプ圧力が緩和され、ディスク（１２）を、エッジ（９２）のところにおいて端部から取り出すことができるようになる。一方、タブ（５０）は、ディスク（１２）が、エッジ（９２）とは反対側の端部から抜け落ちてしまうこと、あるいは、エッジ（９２）とは反対側の端部を通してスリーブから取り出されること、を阻止する。
【００１７】
特に好ましい実施形態においては、第２パネル（２２）には、エッジ（９２）に沿って、ノッチ（９０）（図３）がカット形成される。このノッチ（９０）は、スリーブが開放された時にパッケージ（１０）（図２）からのコンパクトディスク（１２）の取出を容易なものとする。これに代えて、穴や湾曲端部を有した長尺スロットを、第２パネル（２２）内に設けることができ、これにより、使用者の指やペンまたは鉛筆の端部によってコンパクトディスクの中央穴へのアクセスを行い、コンパクトディスクをパッケージからスライドさせることができる。
【００１８】
さらに、図３に示すように、様々なサイズのコンパクトディスクに対してのパッケージの外形として特に適切なものとして、ある種の寸法が確立されている。図３において、第１〜第４パネルは、方向（５４）において長さ“ａ”を有している。第１および第２パネルは、方向（５２）において幅“ｂ”を有しており、第３および第４パネルは、方向（５２）において幅“ｃ”を有している。ウェブ（４０）とウェブ（４２）との双方は、幅“ｄ”を有している。タブ（５０）は、方向（５２）において長さ“ｅ”を有しており、方向（５４）において幅“ｆ”を有している。ウェブ（６０）は、方向（５４）において幅“ｇ”を有している。以下の寸法は、好ましい実施形態を例示するためのものに過ぎず、本発明の範囲を制限することを意図したものではない。
【００１９】
［４０ＭＢディスク］
寸法    長さ（単位：ｍｍ）
ａ       ８１
ｂ       ５７
ｃ       ５８
ｄ         ４
ｅ       ５５
ｆ       １２
ｇ         ４
【００２０】
［４５ＭＢディスク］
ａ       ８１
ｂ       ５９
ｃ       ６０
ｄ         ４
ｅ       ５５
ｆ       １２
ｇ         ４
【００２１】
［５０ＭＢディスク］
ａ       ８１
ｂ       ６１
ｃ       ６２
ｄ         ４
ｅ       ５５
ｆ       １２
ｇ         ４
【００２２】
［６０ＭＢディスク］
ａ       ８１
ｂ       ６３
ｃ       ６４
ｄ         ４
ｅ       ６０
ｆ       １２
ｇ         ４
【００２３】
［１００ＭＢディスク］
ａ       ８１
ｂ       ６７
ｃ       ６８
ｄ         ４
ｅ       ６４
ｆ       １２
ｇ         ４
【００２４】
［１８０ＭＢディスク］
ａ       ８１
ｂ       ７９
ｃ       ８０
ｄ         ４
ｅ       ７４
ｆ       １２
ｇ         ４
【００２５】
スリーブに関しての他の変形が可能である。例えば、ウェブ幅“ｄ”，“ｇ”を大きくすることにより、スリーブを、内部空間を大きくすることができ、これにより、第２パネルと第３パネルとの間に、プリントシートや複数のディスクを収容することができる。代替例においては、第１パネルと第４パネルとを、３つの連結エッジのみに沿って、互いに固定することができる。これにより、第２ディスクを、これら第１パネルと第４パネルとの間に挿入して保持することができる。
【００２６】
図６Ａ，６Ｂは、図２におけるロックタブの実施形態に対する２つの変形例を示している。図６Ａにおいては、連結された第１および第４パネルの各エッジ（１８４，１８６）に、ノッチ（１８０，１８２）が、カット形成されている。これらノッチ（１８０，１８２）は、コーナータブ（１８８）を形成しており、このコーナータブ（１８８）は、第２パネル（１２２）に形成された斜めスロット（１９０）内に挿入することができる。
【００２７】
図６Ｂにおいては、ベルクロ（商標名）製の２つの小さなタブ（２８０，２８２）が、連結された第１および第４パネルのコーナー部分に設けられており、ベルクロ（商標名）製の２つの係合タブ（２８４，２８６）が、第２パネル（２２２）のコーナー部分に設けられている。これにより、第１および第４パネルが第２パネル上へと折り重ねられたときには、係合するベルクロ（商標名）製タブどうしが噛合し、パッケージを閉塞状態に維持することができる。これに代えて、互いに係合するベルクロ（商標名）製タブを、エッジ（２８８，２９０）近傍に位置するストリップとすることができる。これに代えて、例えばポストイット（登録商標）といったような着脱可能接着剤を、ベルクロ（商標名）に代えて使用することができる。
【００２８】
上述した装置および方法に関する態様は、本発明の好ましい実施形態を構成するものではあるけれども、本発明が、装置のそのような細部に限定されるものではないこと、および、本発明の範囲を逸脱することなくそれら実施形態に対して様々な変形を加え得ることは、理解されるであろう。
【図面の簡単な説明】
【００２９】
【図１】本発明によるパッケージを閉塞状態で示す斜視図である。
【図２】本発明によるパッケージを開放状態で示す斜視図である。
【図３】図１および図２のパッケージを形成するに際して使用するためのブランクを示す平面図である。
【図４】本発明の特に好ましい方法を示す概略的な図である。
【図５Ａ】本発明の好ましい実施形態における閉塞を示す斜視図である。
【図５Ｂ】本発明の好ましい実施形態における閉塞を示す斜視図である。
【図５Ｃ】本発明の好ましい実施形態における閉塞を示す斜視図である。
【図６Ａ】本発明におけるロックタブとスロットとに関しての代替可能な実施形態を示す斜視図である。
【図６Ｂ】本発明における、スリーブを着脱可能に閉塞するための代替可能な手段を備えているような実施形態を示す斜視図である。
【符号の説明】
【００３０】
１０  パッケージ（コンパクトディスク保持スリーブ）
１２  コンパクトディスク
１４  シート（折曲可能材料シート）
２０  第１パネル
２２  第２パネル
２４  第３パネル
２６  第４パネル
３０  第１折曲線
３２  第２折曲線
３４  第３折曲線
３６  第４折曲線
３８  第５折曲線
４０  第１ウェブ部分
４２  第２ウェブ部分
５０  閉塞タブ（タブ）
５６  第６折曲線
５８  第７折曲線
６０  第３ウェブ部分
７０  前面
７２  前面
８０  ノッチ
８２  ノッチ
８４  自由エッジ
８６  ロックタブ（固定手段）
８８  スロット（固定手段）
９０  ノッチ
【国際公開パンフレット】
2005501784.tif 000003
2005501784.tif 000004
2005501784.tif 000005
2005501784.tif 000006
2005501784.tif 000007
2005501784.tif 000008
2005501784.tif 000009
2005501784.tif 000010
2005501784.tif 000011
2005501784.tif 000012
2005501784.tif 000013
2005501784.tif 000014
2005501784.tif 000015
2005501784.tif 000016
2005501784.tif 000017
2005501784.tif 000018
2005501784.tif 000019
2005501784.tif 000020
2005501784.tif 000021
2005501784.tif 000022
2005501784.tif 000023
【国際調査報告】
2005501784.tif 000024
2005501784.tif 000025